(57)【要約】【課題】色覚障害に伴う画像の配色補正に際して、一律に全ての利用者に配色補正指示の操作を求めることはなく、操作負担を軽減する。【解決手段】画像形成装置１は、カラー画像を表示する表示部１２と、画像読込部１４から読み込まれたカラー画像データ内に色覚障害の人が見難い配色が存するか否かを検知する画像確認部１０２と、カラー画像データに色覚障害の人が見難い配色が存することが検知された場合、見難い配色に対する識別の可否を確認するための確認画面を表示部１２に表示し、確認応答を受け付ける画像確認部１０２と、確認応答に基づいて、見難い配色について識別不可が確認された場合、カラー画像データの見難い配色を補正する配色補正部１０３とを備えている。【選択図】図１
2015139121.tif 000002
【特許請求の範囲】
【請求項１】
カラー画像を表示する表示部と、
カラー画像データ内に色覚障害の人が見難い配色が存するか否かを検知する検知手段と、
前記カラー画像データに色覚障害の人が見難い配色が存することが検知された場合、前記見難い配色に対する識別の可否を確認するための確認画面を前記表示部に表示し、確認応答を受け付ける確認手段と、
前記確認応答に基づいて、前記見難い配色について識別不可が確認された場合、前記カラー画像データの前記見難い配色を補正する配色補正手段とを備えた画像処理装置。
【請求項２】
前記確認画面は、前記表示部に、前記見難い配色の一方の色を背景色として表示し、他方の色で前記確認応答用のボタンを表示するものである請求項１に記載の画像処理装置。
【請求項３】
前記配色補正手段によって配色が変更された前記カラー画像データを出力する出力部を備えた請求項１又は２に記載の画像処理装置。
【請求項４】
カラー画像データ内に色覚障害の人が見難い配色が存するか否かを検知する検知ステップと、
前記カラー画像データに色覚障害の人が見難い配色が存することが検知された場合、前記見難い配色に対する識別の可否を確認するための確認画面を、カラー画像が表示可能な表示部に表示し、確認応答を受け付ける確認ステップと、
前記確認応答に基づいて、前記見難い配色について識別不可が確認された場合、前記カラー画像データの前記見難い配色を補正する配色補正ステップとを備えた画像処理方法。
【請求項５】
請求項４に記載の画像処理方法をコンピュータに実行させることを特徴とするプログラム。
【請求項６】
請求項５に記載のプログラムを記録したコンピュータ読み取り可能な記録媒体。
【発明の詳細な説明】
【技術分野】
【０００１】
本発明は、カラー画像を表示する表示部を備えた画像表示装置及び画像形成装置等の画像処理装置に関する。
【背景技術】
【０００２】
従来、例えば金融機関に設置され、利用者の入力操作を案内する表示部を備えた自動現金引出装置（ＡＴＭ）や、読み込んだ画像を印字する事務用やサービス提供用としての画像形成装置では、情報量の増大と部分的強調を容易にするなどの利便性から、カラー表示乃至はカラー印字の利用が一般的である。
【０００３】
一方、色弱や視覚異常（視覚障害）のある利用者の場合、配色の組み合わせによっては却って画像の識別が困難となり、画像が見難くなる。そこで、視覚障害を持つ利用者用として、配色を変更可能する機能を備えた装置が提案されている（特許文献１，２）。特許文献１には、ＡＴＭにおいて、表示部の画面にサービス提供を案内する各ボタンに加えて色変更ボタンを配置し、利用者が色変更ボタンを選択操作すると、色変更設定画面に切り替わり、複数の色の中から所望する色への変更が選択操作できる装置が提案されている。また、特許文献２には、視覚障害者にとって誤認傾向のある色の組み合わせをテーブルとして予め登録しておき、入力された画像データに誤認要因のある色の組み合わせが含まれていると判断すると、誤認要因のある画像データの色を所定の色に変換して、識別容易にする装置が提案されている。
【先行技術文献】
【特許文献】
【０００４】
【特許文献１】特開２００３―５８９３０号公報
【特許文献２】特開２００６―２４６０７２号公報
【発明の概要】
【発明が解決しようとする課題】
【０００５】
特許文献１では、視覚障害のある利用者に対して色変更ボタンの操作と、見易い色選択ボタンの操作とを求めるものであるため、当人が視覚障害対象者であるとの事情を認識してい場合には活用し難い。また、特許文献１では、視覚障害でない利用者に対しても、すなわち色変更を不要とする者に対しても、初期画面で一律に色変更ボタンを表示するものであり、効率的でない。
【０００６】
特許文献２では、入力された画像データに対して誤認要因有りの判断がなされると、利用者が視覚障害者か否かに関わりなく、常に色変換されて印字されてしまうことになる。また、変換後の配色認識の確認を、事前に利用者に行わせているが、印字する画像データによっては、利用者に不要な操作を強いることになっていた。
【０００７】
本発明は、上記に鑑みてなされたもので、利用者に必要以上の操作負担を強いることなく、かつ当人が色覚障害を持っているかどうかをたとえ知らなくても操作に支障のない画像処理装置、画像処理方法、プログラム、及び記録媒体を提供するものである。
【課題を解決するための手段】
【０００８】
本発明に係る画像処理装置は、カラー画像を表示する表示部と、カラー画像データ内に色覚障害の人が見難い配色が存するか否かを検知する検知手段と、前記カラー画像データに色覚障害の人が見難い配色が存することが検知された場合、前記見難い配色に対する識別の可否を確認するための確認画面を前記表示部に表示し、確認応答を受け付ける確認手段と、前記確認応答に基づいて、前記見難い配色について識別不可が確認された場合、前記カラー画像データの前記見難い配色を補正する配色補正手段とを備えたものである。
【０００９】
また、本発明に係る画像処理方法は、表示部に表示されるカラー画像データ内に色覚障害の人が見難い配色が存するか否かを検知する検知ステップと、前記カラー画像データに色覚障害の人が見難い配色が存することが検知された場合、前記見難い配色に対する識別の可否を確認するための確認画面を、カラー画像が表示可能な表示部に表示し、確認応答を受け付ける確認ステップと、前記確認応答に基づいて、前記見難い配色について識別不可が確認された場合、前記カラー画像データの前記見難い配色を補正する配色補正ステップとを備えたものである。
【００１０】
また、本発明は、前記画像処理方法をコンピュータに実行させることを特徴とするプログラムである。また、本発明は、前記プログラムを記録したコンピュータ読み取り可能な記録媒体である。
【００１１】
かかる発明によれば、検知手段によってカラー画像データ内に色覚障害の人が見難い配色が存するか否かの検知が行われ、前記カラー画像データに色覚障害の人が見難い配色が存することが検知された場合、確認手段によって、前記見難い配色に対する識別の可否を確認するための確認画面が前記表示部に表示され、確認応答の受け付けが行われる。そして、配色補正手段によって、前記確認応答に基づいて前記見難い配色について識別不可が確認された場合、前記カラー画像データの前記見難い配色が補正される。従って、利用者は、画像データ内に色覚障害の人が見難い配色が存することが検知された場合に、表示部を介して確認応答を受け付けるようにしたので、一律に全ての利用者に操作を求めることはない。
【００１２】
また、請求項２記載の発明は、請求項１に記載の画像処理装置において、前記確認画面は、前記表示部に、前記見難い配色の一方の色を背景色として表示し、他方の色で前記確認応答用のボタンを表示するものである。この構成によれば、見難い配色に係る錐体を持っていない利用者によって確認応答用のボタンが押下されないことで配色補正が施されるので、利用者にとっては操作負担が軽減される。
【００１３】
また、請求項３記載の発明は、請求項１又は２に記載の画像処理装置において、前記配色補正手段によって配色が補正された前記カラー画像データを出力する出力部を備えたものである。この構成によれば、利用者は出力画像を好適に認識することが可能となる。
【発明の効果】
【００１４】
本発明によれば、色覚障害に伴う画像の配色補正に際して、一律に全ての利用者に配色補正指示の操作を求めることはないようにしたので、操作負担を軽減できる。
【図面の簡単な説明】
【００１５】
【図１】本発明が適用される画像形成装置の第１の実施形態を示す構成図である。
【図２】色をＣＩＥxy色度図という方法で表した図で、（Ａ）は、Ｌ，Ｍ，Ｓ錐体の全てを持っている人、（Ｂ）はＬ錐体を持たない人、（Ｃ）はＭ錐体を持たない人、（Ｄ）はＳ錐体を持たない人の色のそれぞれの見え方を、混合線を用いて説明した図である。
【図３】画像及び利用者と配色との関連、及び必要な配色補正を施す全体手順を示すフローチャートである。
【図４】色覚異常パターンＰ１〜Ｐ３に対する補正パターンを示す図である。
【図５】色覚異常パターンＰ４〜Ｐ６に対する補正パターンを示す図である。
【図６】色覚異常パターンＰ７に対する補正パターンを示す図である。
【図７】色覚異常パターンＰ１の特定処理を説明する図である。
【図８】色覚異常パターンＰ２の特定処理を説明する図である。
【図９】色覚異常パターンＰ３の特定処理を説明する図である。
【図１０】色覚異常パターンＰ４の特定処理を説明する図である。
【図１１】色覚異常パターンＰ５の特定処理を説明する図である。
【図１２】色覚異常パターンＰ６の特定処理を説明する図である。
【図１３】色覚異常パターンＰ７の特定処理を説明する図である。
【図１４】色覚異常パターンＰ７の特定処理を説明する図である。
【図１５】色覚異常パターンＰ７の特定処理を説明する図である。
【図１６】色覚異常パターンＰ１〜Ｐ３の配色補正を説明する図である。
【図１７】色覚異常パターンＰ４〜Ｐ６の配色補正を説明する図である。
【図１８】色覚異常パターンＰ７の配色補正を説明する図である。
【図１９】図７の色覚異常パターンＰ１の画面に対応する第３の実施形態を示すを画面図である。
【発明を実施するための形態】
【００１６】
図１を用いて、本発明が適用される画像形成装置の第１の実施形態の構成を説明する。画像形成装置１は、マイクロコンピュータで構成される制御部１０を備える。記憶部１１は、制御部１０が実行する処理プログラムや各種のデータを記憶する領域（ＲＯＭ）、及び処理データを一時的に格納するワークメモリ領域（ＲＡＭ）を備える。
【００１７】
表示部１２は、読み込まれたカラー画像を表示したり、入力操作を案内するための各種のボタン等を白黒及びカラーで表示したりする。操作部１３は、例えばマウスやキーボードでもよいが、ここでは一般的な、表示画面に積層されたタッチパネル等が採用され、利用者からの各種入力操作をボタンの押下を介して受け付けるものである。各ボタンの表示領域座標とタッチパネルの押下位置座標とからいずれのボタンが押下されたかが検出可能とされている。
【００１８】
画像読込部１４は、スキャナ機能の他、外部メモリから画像データを受信する態様を含む。印字部１５は、スキャナ機能にて読み込まれた画像データをコピーしたり、外部メモリから受信した画像データをプリントしたりする。通信部１６は、電子メールやファクシミリを介して画像データを外部に送信する。
【００１９】
制御部１０は、内部にＣＰＵ（Central Processing Unit）を有する。制御部１０は、処理プログラムをワークメモリ領域に読み出して実行することで、画像読込制御部１０１、画像確認部１０２、配色補正部１０３及び出力処理部１０４として機能する。
【００２０】
画像読込制御部１０１は、画像読込部１４を動作させて画像データを読み込み、記憶部１１に一時的に格納する。記憶部１１に格納された画像データは、操作部１３からの指示に従って読み出され、出力部である表示部１２に表示され、または他の出力部である印字部１５に出力され、あるいは通信部１６を介して送信先に送信される。
【００２１】
画像確認部１０２は、出力対象となる画像のデータ内に、色覚障害を持つ人が見難い配色が存するか否かを検知する検知処理と、本装置１の利用者が色覚障害を持つ人か否かを確認するための確認処理とを実行する。
【００２２】
ここで、色覚障害について説明する。人の眼には、光を感じる細胞として杆体、錐体の２種類があり、色の識別は錐体で行われている。錐体には、長い波長の光に反応するＬ細胞、中ぐらいの波長の光に反応するＭ細胞、短い波長の光に反応するＳ細胞の３種類が存在し、色の識別は、３種類の錐体の反応の差を脳が計算して行われる。
【００２３】
そのため、図２に示すように、３種類の細胞を持っているか否かで、色の見え方は大きく影響する。Ｌ，Ｍ，Ｓ錐体の全てを持っている（図２（Ａ）参照）人は、いずれの配色パターンに対しても各色の識別が可能である。一方、Ｌ錐体（図２（Ｂ）参照）を持たない人は、ある組み合わせの２つの色は識別が容易ではない、つまり見難い配色となる。なお、ＣＩＥxy表色系では、錐体を持たない人が見難い配色は、錐体の種類に応じて、ある一点から放射状に伸びる略直線として表われ、これを混合線と称する。L錐体を持たない場合と同様に、Ｍ錐体を持たない人、Ｓ錐体を持たない人は、図２（Ｃ），（Ｄ）に示すように、対応する混合線において、その線上の２つの色は見難い配色となる。従って、出力対象のカラー画像に図２（Ｂ）〜（Ｄ）の少なくともいずれかの配色が含まれ、かつ出力された画像を利用する人が該当する色覚障害を持っている場合、そのまま画像を出力すると適正な認識ができない。
【００２４】
そこで、出力対象の画像に色覚障害に対応する配色が含まれるか否かを検知する処理と、出力対象の画像を利用する人が対応する色覚障害を持つ人か否かを確認する処理とを行うと共に、両方に該当する場合、配色補正部１０３は、画像データ内の認識困難な配色を補正し、認識可能な別の配色に変更する処理を行う。出力処理部１０４は、そのままの画像を、あるいは必要な配色補正が施された画像を表示部１２、印字部１５、あるいは通信部１６に出力する処理を行う。
【００２５】
図３における全体のフローチャートに示すように、操作部１３を介して利用者からの印字対象画像の指定及び印字指示が行われて印字処理が開始されると、まず、印字対象の画像データの読み込みが開始される（ステップＳ１）。次いで、読み込まれた画像データ内に、色覚障害に該当する配色の有無についての検知処理が実行され（ステップＳ３）、検知処理の結果に基づいて、該当する配色の有無が判断される（ステップＳ５）。画像データ内に該当する配色が有った場合、利用者が色覚障害を持っているか否かの確認処理が実行され（ステップＳ７）、確認処理に基づいて、利用者が色覚障害を持っているかどうかが判断される（ステップＳ９）。なお、ステップＳ３，Ｓ５，Ｓ７，Ｓ９の具体的な内容は、図７〜図１５の説明の中において行う。
【００２６】
利用者が色覚障害を持っている場合（ステップＳ９でＹｅｓ）には、ステップＳ１１で色覚異常パターンが設定され、ステップＳ１３で、設定された色覚異常パターンＰ１〜Ｐ７に従った配色補正が施される。そして、配色補正が施された画像は印字部１５で印字される（ステップＳ１５）。なお、ステップＳ５，Ｓ９で判断が否定された場合、読み込まれた画像データのままで印字される。
【００２７】
図４〜図６は、色覚異常パターンＰ１〜Ｐ７に対する補正パターンの内容を示している。補正パターンは、補正パターン１，２，３の３種類である。補正パターン１はＬ錐体のない場合、補正パターン２はＭ錐体のない場合、補正パターン３はＳ錐体のない場合の配色の補正処理内容である。図４（Ａ）〜（Ｃ）では、色覚異常パターンＰ１に対して補正パターン１が設定され、色覚異常パターンＰ２に対して補正パターン２が設定され、色覚異常パターンＰ３に対して補正パターン３が設定されている。また、図５（Ａ）〜（Ｃ）では、色覚異常パターンＰ４に対して補正パターン１と補正パターン２とが設定され、色覚異常パターンＰ５に対して補正パターン１と補正パターン３とが設定され、色覚異常パターンＰ６に対して補正パターン２と補正パターン３とが設定されている。そして、図６では、色覚異常パターンＰ７に対して補正パターン１、補正パターン２及び補正パターン３が設定されている。この結果、印字対象となる画像データ内に、Ｌ，Ｍ，Ｓ錐体のいずれかを持たない人が見難い配色が存する場合の色覚異常パターンＰ１〜Ｐ７に対して、Ｌ，Ｍ，Ｓ錐体のいずれかを持たない利用者であっても、全て認識し易い配色となるように配色補正が施すことができることとなる。
【００２８】
続いて、図７〜図１５を用いて、色覚異常パターンＰ１〜Ｐ７のいずれに該当するかを特定する処理を説明する。まず、図７を用いて色覚異常パターンＰ１の特定処理について説明する。図７（Ａ）のＣＩＥxy色度図は、印字対象の画像データ内に色Ｌ１，Ｌ２を有する画素が少なくとも含まれており、かつ、この色Ｌ１，Ｌ２は、Ｌ錐体がない場合の混同線ＭＬ（Ｌ）上に存在している場合を想定している。すなわち、この画像を画面上であるいは印字後に、仮にＬ錐体を持っていない利用者が見た場合、画像内の色Ｌ１で表現された画像と色Ｌ２で表現された画像とを区別して認識することが困難となる。そこで、印字対象となる画像に、このようなＬ錐体のない場合に見難くなるような配色関係が存すか否かを検知する。
【００２９】
この検知処理は、図３のフローチャートのステップＳ３で行われる。ステップＳ３では、まず、読み込まれた画像に対して、所定領域ずつ典型的には画素単位で色を検出する。カラー画像であれば、画像データはＲＧＢ３色で記述されていることから、かかる色情報を画素単位で合成して色波長に変換して取り出せばよい。取り出した色波長情報を、色空間、ここでは波長で表現されるＣＩＥxy色度図上に展開する。かかる作業を全画素に対して行うことで、ＣＩＥxy色度図上に、座標（ある範囲ずつの色波長）と度数（画素数）とを統計的に表現したヒストグラムが作成される。次に、度数の内、所定の閾値を超えた座標を抽出する。そして、抽出した座標、すなわち色波長が、Ｌ錐体を持っていない人が見難い配色、Ｍ錐体を持っていない人が見難い配色、Ｓ錐体を持っていない人が見難い配色のいずれかに該当するかを判断する。これは、得られた色波長の情報の組み合わせ毎に、Ｌ，Ｍ，Ｓ錐体をそれぞれ持っていない場合の混合線（図７（Ａ）、図８（Ａ）、図９（Ａ）に、それぞれ代表の線分が記載されている）と比較して、混合線上に位置する組み合わせの有無の検知を行う。
【００３０】
そして、図７は、印字対象の画像内に、Ｌ錐体を持っていない人が見難い配色（色Ｌ１と色Ｌ２）が検知された場合（図３のステップＳ５でＹｅｓ）を想定している。この場合には、ステップＳ７で、利用者がＬ錐体を持たない人か否かが、図７（Ｂ）、（Ｃ）のいずれを認識するかによって確認可能となる。すなわち、Ｌ錐体を持っていない利用者は、赤色と緑色との組み合わせが見難い。そこで、表示部１２の画面に背景として緑色で表示し、かつ画面適所（例えば中央）に赤色のボタンＢを表示する。なお、画面を形成する色の組合せは、緑色と赤色の他、図２（Ｂ）に示す他の混合線ＭＬ（Ｌ）上で組み合せとなる他の配色を採用してもよい。また赤色と緑色の関係は逆でもよい。
【００３１】
更に、画面適所にボタンＢに対する押下の案内文を表示する。例えば「見えたボタンを押してください。」である。案内文は、Ｌ錐体に関する混合線ＭＬ（Ｌ）に対して、緑色を通る線上に位置しない色波長、例えば水色や青色、紫色（以上、図２（Ａ）参照）、また白色等の無彩色が採用されてもよい。
【００３２】
確認のための画面は、前記のようにＬ錐体を持たない人が見難い配色であるため、利用者がＬ錐体を持たない場合、利用者は、ボタンＢを認識できず（図７（Ｂ）参照）、すなわちボタンＢを押下しない。一方、利用者がＬ錐体を持つ場合、利用者はボタンＢを認識でき（図７（Ｃ）参照）、従ってボタンＢを押下する。
【００３３】
この結果、所定時間を待ってもボタンＢの押下信号が検出されなければ、利用者はＬ錐体を持たない人であると確認できるため、処理は、ステップＳ１１に進み、色覚異常パターンＰ１に対する配色補正の処理に進む。なお、配色補正の処理については、図１６〜図１８を用いて後述する。
【００３４】
次に、図８を用いて色覚異常パターンＰ２の特定処理について説明する。図８（Ａ）のＣＩＥxy色度図は、印字対象の画像データ内に色Ｍ１，Ｍ２を有する画素が少なくとも含まれており、かつ、この色Ｍ１，Ｍ２は、Ｍ錐体がない場合の混同線ＭＬ（Ｍ）上に存在している場合を想定している。この画像を、仮にＭ錐体を持っていない利用者が見た場合、画像内の色Ｍ１で表現された画像と色Ｍ２で表現された画像とを区別して認識することが困難となる。
【００３５】
図３のフローチャートのステップＳ３で行われる検知処理は、前記Ｌ錐体の場合と同様にヒストグラム統計手法を利用して行われる。そして、図８は、印字対象の画像内に、Ｍ錐体を持っていない人が見難い配色（色Ｍ１と色Ｍ２）が検知された場合を想定している。この場合には、利用者がＭ錐体を持っていない人か否かが、図８（Ｂ）、（Ｃ）のいずれを認識するかによって確認可能となる。すなわち、Ｍ錐体を持たない利用者は、青緑色と灰色との組み合わせが見難い。そこで、表示部１２の画面に背景として青緑色で表示し、かつ画面適所（例えば中央）に灰色のボタンＢを表示する。なお、色の組合せは、図２（Ｃ）に示す他の混合線ＭＬ（Ｍ）上で組み合せとなる他の配色を採用してもよい。また青緑色と灰色の関係は逆でもよい。
【００３６】
更に、図７と同様、画面適所にボタンＢに対する押下の案内文を表示する。確認のための画面は、Ｍ錐体を持たない人が見難い配色であるため、利用者がＭ錐体を持たない場合、利用者はボタンＢを認識できず（図８（Ｂ）参照）、すなわちボタンＢを押下しない。一方、利用者がＭ錐体を持つ場合、利用者はボタンＢを認識でき（図８（Ｃ）参照）、従ってボタンＢを押下する。
【００３７】
この結果、所定時間を待ってもボタンＢの押下信号が検出されなければ、利用者はＭ錐体を持たない人であると確認できるため、処理は、ステップＳ１１に進み、色覚異常パターンＰ２に対する配色補正の処理に進む。
【００３８】
次に、図９を用いて色覚異常パターンＰ３の特定処理について説明する。図９（Ａ）のＣＩＥxy色度図は、印字対象の画像データ内に色Ｓ１，Ｓ２を有する画素が少なくとも含まれており、かつ、この色Ｓ１，Ｓ２は、Ｓ錐体がない場合の混同線ＭＬ（Ｓ）上に存在している場合を想定している。この画像を、仮にＳ錐体を持っていない利用者が見た場合、画像内の色Ｓ１で表現された画像と色Ｓ２で表現された画像とを区別して認識することが困難となる。
【００３９】
図３のフローチャートのステップＳ３で行われる検知処理は、前記Ｌ錐体の場合と同様にヒストグラム統計手法を利用して行われる。そして、図９は、印字対象の画像内に、Ｓ錐体を持っていない人が見難い配色（色Ｓ１と色Ｓ２）が検知された場合を想定している。この場合には、利用者がＳ錐体を持っていない人か否かが、図９（Ｂ）、（Ｃ）のいずれを認識するかによって確認可能となる。すなわち、Ｓ錐体を持たない利用者は、黄色と紫色との組み合わせが見難い。そこで、表示部１２の画面に背景として黄色で表示し、かつ画面適所（例えば中央）に紫色のボタンＢを表示する。なお、色の組合せは、図２（Ｄ）に示す他の混合線ＭＬ（Ｓ）上で組み合せとなる他の配色を採用してもよい。また黄色と紫色の関係は逆でもよい。
【００４０】
更に、図７と同様、画面適所にボタンＢに対する押下の案内文を表示する。確認のための画面は、Ｓ錐体を持たない人が見難い配色であるため、利用者がＳ錐体を持たない場合、利用者はボタンＢを認識できず（図９（Ｂ）参照）、すなわちボタンＢを押下しない。一方、利用者がＳ錐体を持つ場合、利用者はボタンＢを認識でき（図９（Ｃ）参照）、従ってボタンＢを押下する。
【００４１】
この結果、所定時間を待ってもボタンＢの押下信号が検出されなければ、利用者はＳ錐体を持たない人であると確認できるため、処理は、ステップＳ１１に進み、色覚異常パターンＰ３に対する配色補正の処理に進む。
【００４２】
次に、図１０を用いて色覚異常パターンＰ４の特定処理について説明する。図１０（Ａ）のＣＩＥxy色度図は、印字対象の画像データ内に色Ｌ１とＬ２の組合せ、及び色Ｍ１とＭ２の組合せを有する画素が少なくとも含まれており、かつ、この色Ｌ１，Ｌ２は、Ｌ錐体がない場合の混同線ＭＬ（Ｌ）上に存在し、さらに色Ｍ１，Ｍ２は、Ｍ錐体がない場合の混同線ＭＬ（Ｍ）上に存在している場合を想定している。この画像を、仮にＬ錐体とＭ錐体とを持っていない利用者が見た場合、画像内の色Ｌ１で表現された画像と色Ｌ２で表現された画像を、及び色Ｍ１で表現された画像と色Ｍ２で表現された画像とを区別して認識することは困難となる。
【００４３】
図３のフローチャートのステップＳ３で行われる検知処理は、前記Ｌ錐体の場合と同様に、Ｌ錐体、Ｍ錐体に対してそれぞれヒストグラム統計手法を利用して行われる。そして、図１０は、印字対象の画像内に、Ｌ錐体を持っていない人が見難い配色（色Ｌ１と色Ｌ２）、及びＭ錐体を持っていない人が見難い配色（色Ｍ１と色Ｍ２）が検知された場合を想定している。この場合には、利用者がＬ錐体とＭ錐体の少なくとも一方を持っていない人か否かが、図１０（Ｂ）、（Ｃ）、（Ｄ）、（Ｅ）のいずれを認識するかによって確認可能となる。すなわち、Ｌ錐体とＭ錐体の少なくとも一方を持たない利用者は、赤色と緑色との組み合わせ、または青緑色と灰色との組み合わせが見難い。そこで、表示部１２の画面を２分割し、一方の画面に対して背景として緑色で表示し、かつ一方の画面適所（例えばその中央）に赤色のボタンＢ１を表示する。さらに、他方の画面に対して背景として青緑色で表示し、かつ一方の画面適所（例えばその中央）に灰色のボタンＢ２を表示する。なお、色の組合せは、図２（Ｂ）、（Ｃ）に示す他の混合線ＭＬ（Ｌ）、ＭＬ（Ｍ）上で組み合せとなる他の配色を採用してもよい。また色の組み合わせは逆でもよい。
【００４４】
更に、図７と同様、画面適所にボタンＢ１，Ｂ２に対する押下の案内文を表示する。確認のための画面は、Ｌ錐体、Ｍ錐体を持たない人が見難い配色であるため、利用者がＬ錐体だけを持たない場合、利用者はボタンＢ１だけ認識できず（図１０（Ｂ）参照）、すなわち利用者はボタンＢ１を押下せず、ボタンＢ２を押下する。また、利用者がＭ錐体だけを持たない場合、利用者はボタンＢ２だけ認識できず（図１０（Ｃ）参照）、すなわち利用者はボタンＢ２を押下せず、ボタンＢ１を押下する。また、利用者がＬ錐体及びＭ錐体の両方を持たない場合、利用者はボタンＢ１，Ｂ２の両方を認識できず（図１０（Ｄ）参照）、すなわち利用者はボタンＢ１，Ｂ２を押下しない。そして、利用者がＬ錐体及びＭ錐体の両方を持っている場合、利用者はボタンＢ１，Ｂ２の両方を認識でき（図１０（Ｅ）参照）、すなわちボ利用者はタンＢ１，Ｂ２を押下する。
【００４５】
この結果、ボタンＢ１のみの押下信号が検出された場合、利用者はＭ錐体を持ち、Ｌ錐体を持たない人であると確認できるため、色覚異常パターンＰ１に対する配色補正の処理に進む。また、ボタンＢ２のみの押下信号が検出された場合、利用者はＬ錐体を持ち、Ｍ錐体を持たない人であると確認できるため、色覚異常パターンＰ２に対する配色補正の処理に進む。また、所定時間を待っても押下信号が検出されなければ、利用者はＬ錐体及びＭ錐体を持たない人であると確認できるため、色覚異常パターンＰ４に対する配色補正の処理に進む。なお、ボタンＢ１，Ｂ２の両方の押下信号が検出された場合、利用者はＬ錐体及びＭ錐体を持っている人であると確認できるため、配色補正は行われない。
【００４６】
次に、図１１を用いて色覚異常パターンＰ５の特定処理について説明する。図１１（Ａ）のＣＩＥxy色度図は、印字対象の画像データ内に色Ｌ１とＬ２の組合せ、及び色Ｓ１とＳ２の組合せを有する画素が少なくとも含まれており、かつ、この色Ｌ１，Ｌ２は、Ｌ錐体がない場合の混同線ＭＬ（Ｌ）上に存在し、さらに色Ｓ１，Ｓ２は、Ｓ錐体がない場合の混同線ＭＬ（Ｓ）上に存在している場合を想定している。この画像を、仮にＬ錐体とＳ錐体とを持っていない利用者が見た場合、画像内の色Ｌ１で表現された画像と色Ｌ２で表現された画像を、及び色Ｓ１で表現された画像と色Ｓ２で表現された画像とを区別して認識することは困難となる。
【００４７】
図３のフローチャートのステップＳ３で行われる検知処理は、前記Ｌ錐体の場合と同様に、Ｌ錐体、Ｓ錐体に対してそれぞれヒストグラム統計手法を利用して行われる。そして、図１１は、印字対象の画像内に、Ｌ錐体を持っていない人が見難い配色（色Ｌ１と色Ｌ２）、及びＳ錐体を持っていない人が見難い配色（色Ｓ１と色Ｓ２）が検知された場合を想定している。この場合には、利用者がＬ錐体とＳ錐体の少なくとも一方を持っていない人か否かが、図１１（Ｂ）、（Ｃ）、（Ｄ）、（Ｅ）のいずれを認識するかによって確認可能となる。すなわち、Ｌ錐体とＳ錐体の少なくとも一方を持たない利用者は、赤色と緑色との組み合わせ、または黄色と紫色との組み合わせが見難い。そこで、表示部１２の画面を２分割し、一方の画面に対して背景として緑色で表示し、かつ一方の画面適所（例えばその中央）に赤色のボタンＢ１を表示する。さらに、他方の画面に対して背景として黄色で表示し、かつ一方の画面適所（例えばその中央）に紫色のボタンＢ２を表示する。なお、色の組合せは、図２（Ｂ）、（Ｄ）に示す他の混合線ＭＬ（Ｌ）、ＭＬ（Ｓ）上で組み合せとなる他の配色を採用してもよい。また色の組み合わせは逆でもよい。
【００４８】
更に、図７と同様、画面適所にボタンＢ１，Ｂ２に対する押下の案内文を表示する。確認のための画面は、Ｌ錐体、Ｓ錐体を持たない人が見難い配色であるため、利用者がＬ錐体だけを持たない場合、利用者はボタンＢ１だけ認識できず（図１１（Ｂ）参照）、すなわち利用者はボタンＢ１を押下せず、ボタンＢ２を押下する。また、利用者がＳ錐体だけを持たない場合、利用者はボタンＢ２だけ認識できず（図１１（Ｃ）参照）、すなわち利用者はボタンＢ２を押下せず、ボタンＢ１を押下する。また、利用者がＬ錐体及びＳ錐体の両方を持たない場合、利用者はボタンＢ１，Ｂ２の両方を認識できず（図１１（Ｄ）参照）、すなわち利用者はボタンＢ１，Ｂ２を押下しない。そして、利用者がＬ錐体及びＳ錐体の両方を持っている場合、利用者はボタンＢ１，Ｂ２の両方を認識でき（図１１（Ｅ）参照）、すなわちボ利用者はタンＢ１，Ｂ２を押下する。
【００４９】
この結果、ボタンＢ１のみの押下信号が検出された場合、利用者はＳ錐体を持ち、Ｌ錐体を持たない人であると確認できるため、色覚異常パターンＰ１に対する配色補正の処理に進む。また、ボタンＢ２のみの押下信号が検出された場合、利用者はＬ錐体を持ち、Ｓ錐体を持たない人であると確認できるため、色覚異常パターンＰ３に対する配色補正の処理に進む。また、所定時間を待っても押下信号が検出されなければ、利用者はＬ錐体及びＳ錐体を持たない人であると確認できるため、色覚異常パターンＰ５に対する配色補正の処理に進む。なお、ボタンＢ１，Ｂ２の両方の押下信号が検出された場合、利用者はＬ錐体及びＳ錐体を持っている人であると確認できるため、配色補正は行われない。
【００５０】
次に、図１２を用いて色覚異常パターンＰ６の特定処理について説明する。図１２（Ａ）のＣＩＥxy色度図は、印字対象の画像データ内に色Ｍ１とＭ２の組合せ、及び色Ｓ１とＳ２の組合せを有する画素が少なくとも含まれており、かつ、この色Ｍ１，Ｍ２は、Ｍ錐体がない場合の混同線ＭＬ（Ｍ）上に存在し、さらに色Ｓ１，Ｓ２は、Ｓ錐体がない場合の混同線ＭＬ（Ｓ）上に存在している場合を想定している。この画像を、仮にＭ錐体とＳ錐体とを持っていない利用者が見た場合、画像内の色Ｍ１で表現された画像と色Ｍ２で表現された画像を、及び色Ｓ１で表現された画像と色Ｓ２で表現された画像とを区別して認識することは困難となる。
【００５１】
図３のフローチャートのステップＳ３で行われる検知処理は、前記Ｌ錐体の場合と同様に、Ｍ錐体、Ｓ錐体に対してそれぞれヒストグラム統計手法を利用して行われる。そして、図１２は、印字対象の画像内に、Ｍ錐体を持っていない人が見難い配色（色Ｍ１と色Ｍ２）、及びＳ錐体を持っていない人が見難い配色（色Ｓ１と色Ｓ２）が検知された場合を想定している。この場合には、利用者がＭ錐体とＳ錐体の少なくとも一方を持っていない人か否かが、図１２（Ｂ）、（Ｃ）、（Ｄ）、（Ｅ）のいずれを認識するかによって確認可能となる。すなわち、Ｍ錐体とＳ錐体の少なくとも一方を持たない利用者は、青緑色と灰色との組み合わせ、または黄色と紫色との組み合わせが見難い。そこで、表示部１２の画面を２分割し、一方の画面に対して背景として青緑色で表示し、かつ一方の画面適所（例えばその中央）に灰色のボタンＢ１を表示する。さらに、他方の画面に対して背景として黄色で表示し、かつ一方の画面適所（例えばその中央）に紫色のボタンＢ２を表示する。なお、色の組合せは、図２（Ｃ）、（Ｄ）に示す他の混合線ＭＬ（Ｍ）、ＭＬ（Ｓ）上で組み合せとなる他の配色を採用してもよい。また色の組み合わせは逆でもよい。
【００５２】
更に、図７と同様、画面適所にボタンＢ１，Ｂ２に対する押下の案内文を表示する。確認のための画面は、Ｍ錐体、Ｓ錐体を持たない人が見難い配色であるため、利用者がＭ錐体だけを持たない場合、利用者はボタンＢ１だけ認識できず（図１２（Ｂ）参照）、すなわち利用者はボタンＢ１を押下せず、ボタンＢ２を押下する。また、利用者がＳ錐体だけを持たない場合、利用者はボタンＢ２だけ認識できず（図１２（Ｃ）参照）、すなわち利用者はボタンＢ２を押下せず、ボタンＢ１を押下する。また、利用者がＭ錐体及びＳ錐体の両方を持たない場合、利用者はボタンＢ１，Ｂ２の両方を認識できず（図１２（Ｄ）参照）、すなわち利用者はボタンＢ１，Ｂ２を押下しない。そして、利用者がＭ錐体及びＳ錐体の両方を持っている場合、利用者はボタンＢ１，Ｂ２の両方を認識でき（図１２（Ｅ）参照）、すなわちボ利用者はタンＢ１，Ｂ２を押下する。
【００５３】
この結果、ボタンＢ１のみの押下信号が検出された場合、利用者はＳ錐体を持ち、Ｍ錐体を持たない人であると確認できるため、色覚異常パターンＰ２に対する配色補正の処理に進む。また、ボタンＢ２のみの押下信号が検出された場合、利用者はＭ錐体を持ち、Ｓ錐体を持たない人であると確認できるため、色覚異常パターンＰ３に対する配色補正の処理に進む。また、所定時間を待っても押下信号が検出されなければ、利用者はＭ錐体及びＳ錐体を持たない人であると確認できるため、色覚異常パターンＰ６に対する配色補正の処理に進む。なお、ボタンＢ１，Ｂ２の両方の押下信号が検出された場合、利用者はＭ錐体及びＳ錐体を持っている人であると確認できるため、配色補正は行われない。
【００５４】
次に、図１３〜図１５を用いて色覚異常パターンＰ７の特定処理について説明する。図１３（Ａ）のＣＩＥxy色度図は、印字対象の画像データ内に色Ｌ１とＬ２の組合せ、色Ｍ１とＭ２の組合せ、及び色Ｓ１とＳ２の組合せを有する画素が少なくとも含まれており、かつ、この色Ｌ１，Ｌ２は、Ｌ錐体がない場合の混同線ＭＬ（Ｌ）上に存在し、色Ｍ１，Ｍ２は、Ｍ錐体がない場合の混同線ＭＬ（Ｍ）上に存在し、さらに色Ｓ１，Ｓ２は、Ｓ錐体がない場合の混同線ＭＬ（Ｓ）上に存在している場合を想定している。この画像を、仮にＬ錐体、Ｍ錐体及びＳ錐体を持っていない利用者が見た場合、画像内の色Ｌ１で表現された画像と色Ｌ２で表現された画像を、色Ｍ１で表現された画像と色Ｍ２で表現された画像を、及び色Ｓ１で表現された画像と色Ｓ２で表現された画像とを区別して認識することは困難となる。
【００５５】
図３のフローチャートのステップＳ３で行われる検知処理は、前記Ｌ錐体の場合と同様に、Ｌ錐体、Ｍ錐体及びＳ錐体に対してそれぞれヒストグラム統計手法を利用して行われる。そして、図１３は、印字対象の画像内に、Ｌ錐体を持っていない人が見難い配色（色Ｌ１と色Ｌ２）、Ｍ錐体を持っていない人が見難い配色（色Ｍ１と色Ｍ２）、及びＳ錐体を持っていない人が見難い配色（色Ｓ１と色Ｓ２）が検知された場合を想定している。この場合には、利用者がＬ錐体、Ｍ錐体及びＳ錐体のうちの少なくとも一つを持っていない人か否かが、図１３（Ｂ）、（Ｃ）、図１４（Ａ）〜（Ｃ）、図１５（Ａ）〜（Ｃ）のいずれを認識するかによって確認可能となる。すなわち、Ｌ錐体、Ｍ錐体及びＳ錐体のうちの少なくとも一方を持たない利用者は、緑色と赤色との組み合わせ、青緑色と灰色との組み合わせ、または黄色と紫色との組み合わせのいずれかが見難い。
【００５６】
そこで、表示部１２の画面を３分割し、一方端側の画面に対して背景として黄色で表示し、かつ一方の画面適所（例えばその中央）に紫色のボタンＢ１を表示する。また、中央部の画面に対して背景として青緑色で表示し、かつ一方の画面適所（例えばその中央）に灰色のボタンＢ２を表示する。さらに、他方端側の画面に対して背景として緑色で表示し、かつ一方の画面適所（例えばその中央）に赤色のボタンＢ３を表示する。なお、色の組合せは、図２（Ｂ）〜（Ｄ）に示す他の混合線ＭＬ（Ｌ）、ＭＬ（Ｍ）、ＭＬ（Ｓ）上で組み合せとなる他の配色を採用してもよい。また色の組み合わせは逆でもよい。
【００５７】
更に、図７と同様、画面適所にボタンＢ１，Ｂ２，Ｂ３に対する押下の案内文を表示する。確認のための画面は、Ｌ錐体、Ｍ錐体、Ｓ錐体を持たない人が見難い配色であるため、利用者がＬ錐体だけを持たない場合、利用者はボタンＢ３だけ認識できず（図１３（Ｂ）参照）、すなわち利用者はボタンＢ３を押下せず、ボタンＢ１，Ｂ２を押下する。この場合、色覚異常パターンＰ１に対する配色補正の処理に進む。また、利用者がＭ錐体だけを持たない場合、利用者はボタンＢ２だけ認識できず（図１３（Ｃ）参照）、すなわち利用者はボタンＢ２を押下せず、ボタンＢ１，Ｂ３を押下する。この場合、色覚異常パターンＰ２に対する配色補正の処理に進む。
【００５８】
また、利用者がＳ錐体だけを持たない場合、利用者はボタンＢ１だけ認識できず（図１４（Ａ）参照）、すなわち利用者はボタンＢ１を押下せず、ボタンＢ２，Ｂ３を押下する。この場合、色覚異常パターンＰ３に対する配色補正の処理に進む。また、利用者がＳ錐体を持ち、Ｌ錐体及びＭ錐体の両方を持たない場合、利用者はボタンＢ２，Ｂ３の両方を認識できず（図１４（Ｂ）参照）、すなわち利用者はボタンＢ２，Ｂ３を押下せず、ボタンＢ１を押下する。この場合、色覚異常パターンＰ４に対する配色補正の処理に進む。また、利用者がＭ錐体を持ち、Ｌ錐体及びＳ錐体の両方を持たない場合、利用者はボタンＢ１，Ｂ３の両方を認識できず（図１４（Ｃ）参照）、すなわちボ利用者はタンＢ１，Ｂ３を押下せず、ボタンＢ２を押下する。この場合、色覚異常パターンＰ５に対する配色補正の処理に進む。
【００５９】
また、利用者がＬ錐体を持ち、Ｍ錐体及びＳ錐体の両方を持たない場合、利用者はボタンＢ１，Ｂ２の両方を認識できず（図１５（Ａ）参照）、すなわちボ利用者はタンＢ１，Ｂ２を押下せず、ボタンＢ３を押下する。この場合、色覚異常パターンＰ６に対する配色補正の処理に進む。さらに、利用者がＬ錐体、Ｍ錐体及びＳ錐体を全て持っていない場合、利用者はボタンＢ１，Ｂ２，Ｂ３の全てを認識できず（図１５（Ｂ）参照）、すなわち利用者はボタンＢ１，Ｂ２，Ｂ３全てを押下しない。この場合、色覚異常パターンＰ７に対する配色補正の処理に進む。なお、利用者がＬ錐体、Ｍ錐体及びＳ錐体の全てを持っている場合、利用者はボタンＢ１，Ｂ２，Ｂ３の全てを認識でき（図１５（Ｃ）参照）、すなわちボ利用者はタンＢ１，Ｂ２，Ｂ３の全てを押下する。この場合、利用者はＬ錐体、Ｍ錐体及びＳ錐体全てを持っている人であると確認できるため、配色補正は行われない。
【００６０】
次に、図１６〜図１８を用いて色覚異常パターンの配色補正について説明する。配色補正は配色補正部１０３によって行われる。色覚異常パターンＰ１に対する配色補正は、図１６（Ａ）に示すように、印字対象の画像内の、混合線ＭＬ（Ｌ）上に位置する一方側の色Ｌ１を、ＣＩＥxy色度図内で、当該混合線ＭＬ（Ｌ）と交差する方向に移動して他の色ＺＬに変更することで行われる。移動する方向及び移動長は、所定のルールに従って算出され、あるいは算出結果が予め格納されたルックアップテーブルを参照して得てもよい。なお、新たに設定される移動位置は、移動後の色ＺＬが、他の混同線ＭＬ（Ｌ）上で他の色と組み合わせにならないように確認処理を経て決定される。これにより、Ｌ錐体を持っていない利用者が見難いとしている組み合わせの配色が解消される。なお、変更する色は、一方側の色Ｌ１に限らず、他方側の色でもよく、あるいは両方を変更する態様としてもよい。以降についても同様である。
【００６１】
色覚異常パターンＰ２に対する配色補正は、図１６（Ｂ）に示すように、印字対象の画像内の、混合線ＭＬ（Ｍ）上に位置する一方側の色Ｍ１を、ＣＩＥxy色度図内で、当該混合線ＭＬ（Ｍ）と交差する方向に移動して他の色ＺＭに変更することで行われる。移動する方向及び移動長は、所定のルールに従って算出され、あるいは算出結果が予め格納されたルックアップテーブルを参照して得てもよい。なお、新たに設定される移動位置は、移動後の色ＺＭが、他の混同線ＭＬ（Ｍ）上で他の色と組み合わせにならないように確認処理を経て行われる。これにより、Ｍ錐体を持っていない利用者が見難いとしている組み合わせの配色が解消される。
【００６２】
色覚異常パターンＰ３に対する配色補正は、図１６（Ｃ）に示すように、印字対象の画像内の、混合線ＭＬ（Ｓ）上に位置する一方側の色Ｓ２を、ＣＩＥxy色度図内で、当該混合線ＭＬ（Ｓ）と交差する方向に移動して他の色ＺＳに変更することで行われる。移動する方向及び移動長は、所定のルールに従って算出され、あるいは算出結果が予め格納されたルックアップテーブルを参照して得てもよい。なお、新たに設定される移動位置は、移動後の色ＺＳが、他の混同線ＭＬ（Ｓ）上で他の色と組み合わせにならないように確認処理を経て行われる。これにより、Ｓ錐体を持っていない利用者が見難いとしている組み合わせの配色が解消される。
【００６３】
色覚異常パターンＰ４に対する配色補正は、図１７（Ａ）に示すように、印字対象の画像内の、混合線ＭＬ（Ｌ）上に位置する一方側の色Ｌ１を、ＣＩＥxy色度図内で、当該混合線ＭＬ（Ｌ）と交差する方向に移動して他の色ＺＬに変更するとともに、混合線ＭＬ（Ｍ）上に位置する一方側の色Ｍ１を、ＣＩＥxy色度図内で、当該混合線ＭＬ（Ｍ）と交差する方向に移動して他の色ＺＭに変更することで行われる。それぞれの移動する方向及び移動長は、所定のルールに従って算出され、あるいは算出結果が予め格納されたルックアップテーブルを参照して得てもよい。なお、新たに設定される移動位置は、移動後の色ＺＬ，ＺＭが、他の混同線ＭＬ（Ｌ）、ＭＬ（Ｍ）上で他の色と組み合わせにならないように確認処理を経て行われる。これにより、Ｌ錐体及びＭ錐体を持っていない利用者が見難いとしている組み合わせの配色が解消される。
【００６４】
色覚異常パターンＰ５に対する配色補正は、図１７（Ｂ）に示すように、印字対象の画像内の、混合線ＭＬ（Ｌ）上に位置する一方側の色Ｌ１を、ＣＩＥxy色度図内で、当該混合線ＭＬ（Ｌ）と交差する方向に移動して他の色ＺＬに変更するとともに、混合線ＭＬ（Ｓ）上に位置する一方側の色Ｓ２を、ＣＩＥxy色度図内で、当該混合線ＭＬ（Ｓ）と交差する方向に移動して他の色ＺＳに変更することで行われる。それぞれの移動する方向及び移動長は、所定のルールに従って算出され、あるいは算出結果が予め格納されたルックアップテーブルを参照して得てもよい。なお、新たに設定される移動位置は、移動後の色ＺＬ，ＺＳが、他の混同線ＭＬ（Ｌ）、ＭＬ（Ｓ）上で他の色と組み合わせにならないように確認処理を経て行われる。これにより、Ｌ錐体及びＳ錐体を持っていない利用者が見難いとしている組み合わせの配色が解消される。
【００６５】
色覚異常パターンＰ６に対する配色補正は、図１７（Ｃ）に示すように、印字対象の画像内の、混合線ＭＬ（Ｍ）上に位置する一方側の色Ｍ１を、ＣＩＥxy色度図内で、当該混合線ＭＬ（Ｍ）と交差する方向に移動して他の色ＺＭに変更するとともに、混合線ＭＬ（Ｓ）上に位置する一方側の色Ｓ２を、ＣＩＥxy色度図内で、当該混合線ＭＬ（Ｓ）と交差する方向に移動して他の色ＺＳに変更することで行われる。それぞれの移動する方向及び移動長は、所定のルールに従って算出され、あるいは算出結果が予め格納されたルックアップテーブルを参照して得てもよい。なお、新たに設定される移動位置は、移動後の色ＺＭ，ＺＳが、他の混同線ＭＬ（Ｍ）、ＭＬ（Ｓ）上で他の色と組み合わせにならないように確認処理を経て行われる。これにより、Ｍ錐体及びＳ錐体を持っていない利用者が見難いとしている組み合わせの配色が解消される。
【００６６】
色覚異常パターンＰ７に対する配色補正は、図１８（Ａ）に示すように、印字対象の画像内の、混合線ＭＬ（Ｌ）上に位置する一方側の色Ｌ１を、ＣＩＥxy色度図内で、当該混合線ＭＬ（Ｌ）と交差する方向に移動して他の色ＺＬに変更するとともに、混合線ＭＬ（Ｍ）上に位置する一方側の色Ｍ１を、ＣＩＥxy色度図内で、当該混合線ＭＬ（Ｍ）と交差する方向に移動して他の色ＺＭに変更し、さらに混合線ＭＬ（Ｓ）上に位置する一方側の色Ｓ２を、ＣＩＥxy色度図内で、当該混合線ＭＬ（Ｓ）と交差する方向に移動して他の色ＺＳに変更することで行われる。それぞれの移動する方向及び移動長は、所定のルールに従って算出され、あるいは算出結果が予め格納されたルックアップテーブルを参照して得てもよい。なお、新たに設定される移動位置は、移動後の色ＺＬ，ＺＭ，ＺＳが、他の混同線ＭＬ（Ｌ）、ＭＬ（Ｍ）、ＭＬ（Ｓ）上で他の色と組み合わせにならないように確認処理を経て行われる。これにより、Ｌ錐体、Ｍ錐体及びＳ錐体を持っていない利用者が見難いとしている組み合わせの配色が解消される。
【００６７】
出力処理部１０４は、印字出力の場合、補正後の色波長情報を直接ＣＭＹＫ情報に変換し、あるいはＲＧＢ情報を介してＣＭＹＫ情報に変換されてプリントを行う。
【００６８】
また、第１の実施形態では、配色補正した画像を印字する場合で説明したが、第２の実施形態として、印字以外の出力の場合にも適用することができる。例えば、表示部１２へ出力して表示する場合、あるいはファクシミリや電子メールで送信する場合に適用してもよい。表示部１２への出力の場合、一旦表示した後にあるいは表示直前に、確認処理及び必要な配色補正処理を施して、再表示あるいは表示するようにしてもよい。また、ファックス等による外部への出力の場合、補正後のＲＧＢ情報を、あるいはＣＭＹＫ情報を出力するようにしてもよい。なお、本発明は、印字機能やコピー機能を備える画像形成装置の他、画像表示を行う画像表示装置等の画像処理装置に適用可能である。
【００６９】
また、利用者がいずれの錐体を持っていないかを確認する場合に、図７（Ｂ）、図８（Ｂ）、図９（Ｂ）、図１０（Ｄ）、図１１（Ｄ）、図１２（Ｄ）、図１５（Ｂ）に示すように、いずれのボタンも押下されない場合を含むが、第３の実施形態として、例えば図７（Ｂ）に対応する画面として図１９に示すように、本来の背景Ｗ１とボタンＢ１とからなる画面に併記して、Ｌ錐体を持っていない利用者でも識別可能な配色、例えば無彩色の黒色で背景Ｗ２を、白色でボタンＢ２を表示する画面を表示するようにしてもよい。これによれば、前記のいずれも色覚異常パターンの場合においても、白ボタンＢ２は認識でき、押下されることになるので、利用者からの応答信号が確実に得られる。なお、この場合、案内文は前記と異なり、「下のボタンを押してください」等でもよい。
【００７０】
また、見難い色の組み合わせ有無の検知方法は、ヒストグラム統計処理を利用する方法に限定されない。さらに、表色系はＣＩＥxyに限定されず、ＲＧＢ，ＸＹＺ，Ｌ＊ａ＊ｂ＊，マンセル等の表色系でもよい。
【００７１】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７２】
１  画像形成装置（画像処理装置）
１０  制御部
１０２  画像確認部（検知手段、確認手段）
１０３  配色補正部（配色補正手段）
１０４  出力処理部（出力部）
１１  記憶部
１２  表示部
１５  印字部（出力部）
【図１】
2015139121.tif 000003
【図３】
2015139121.tif 000004
【図４】
2015139121.tif 000005
【図５】
2015139121.tif 000006
【図６】
2015139121.tif 000007
【図２】
2015139121.tif 000008
【図７】
2015139121.tif 000009
【図８】
2015139121.tif 000010
【図９】
2015139121.tif 000011
【図１０】
2015139121.tif 000012
【図１１】
2015139121.tif 000013
【図１２】
2015139121.tif 000014
【図１３】
2015139121.tif 000015
【図１４】
2015139121.tif 000016
【図１５】
2015139121.tif 000017
【図１６】
2015139121.tif 000018
【図１７】
2015139121.tif 000019
【図１８】
2015139121.tif 000020
【図１９】
2015139121.tif 000021